(57)【要約】【課題】  漏れバリアカフからの排泄物等の流出を防止することにより、排泄物の物品からの漏れを抑制することができる吸収性物品を提供する。【解決手段】  おむつ１０を形成するシャーシ１４は、身体側に位置する内面シート４０と、反対側に位置する外面シート５０とを含み、内面シート４０は、縦方向Ｙに延びる複数の凸条と、凸条の間に形成される複数の凹条とを有する。吸液構造体２０の吸液両側縁２３は、クロッチ域１３に位置する中央領域と、前後ウエスト域１１，１２において中央領域よりも横方向Ｘの長さ寸法が大きい前後領域とを含む。中央領域の横方向Ｘ外側では、前後領域の側縁を結んだ仮想線９０と、中央領域に位置する吸液側縁２３とで、吸液構造体の非存在領域９１が画成される。内面シート４０のさらに身体側に漏れバリアカフ３０が取り付けられ、クロッチ域１３では、カフ外側縁３４と吸液両側縁２３との間に、非存在領域９１が位置する。【選択図】図３
2010227149.tif 000002
【特許請求の範囲】
【請求項１】
縦方向および横方向と、身体側およびその反対側と、前ウエスト域、後ウエスト域および前記前後ウエスト域間に位置するクロッチ域を有するシャーシと、少なくとも前記クロッチ域に位置する吸液構造体と、前記シャーシの前記身体側に位置しシャーシ両側縁の縦方向に延びる一対の漏れバリアカフとを含み、前記シャーシは、前記身体側に位置する内面シートと、前記反対側に位置する外面シートとを含み、前記漏れバリアカフは、両側接合部を介して前記シャーシ両側縁に接合されるカフ外側縁と、前記縦方向に伸縮可能に弾性化され前記シャーシから離間可能なカフ内側縁とを含み、前記吸液構造体は、前記縦方向に延びる吸液両側縁を含み、前記吸液両側縁は、前記クロッチ域で前記横方向の長さ寸法が小さい中央領域と、前記前後ウエスト域で前記中央領域よりも前記横方向の長さ寸法が大きい前後領域とを含み、前記漏れバリアカフのカフ外側縁は、前記中央領域よりも前記横方向外側に位置する吸収性物品において、
前記内面シートは、少なくとも前記中央領域の前記横方向外側で、前記縦方向に延びる複数の凸条と、これら凸条の前記横方向間に形成される凹条とを有するとともに、前記外面シートに接合されることを特徴とする前記吸収性物品。
【請求項２】
前記凸条および凹条は、前記内面シートの前記身体側に形成される請求項１記載の吸収性物品。
【請求項３】
前記カフ外側縁は、前記内面シートの前記身体側に接合される請求項１または２記載の吸収性物品。
【請求項４】
前記カフ外側縁は、前記外面シートの前記身体側に接合され、
前記内面シートは、縦方向に延びる内面両側縁を含み、前記内面両側縁が前記カフ内側縁に接合される請求項１または２記載の吸収性物品。
【発明の詳細な説明】
【技術分野】
【０００１】
この発明は、吸収性物品に関し、さらに詳しくは使い捨てのおむつ、排泄トレーニングパンツ、失禁ブリーフ等に関する。
【背景技術】
【０００２】
従来、着用時に身体側に起立するギャザーシートを有する使い捨ておむつとして、例えば、特許文献１（特開２００７−１４３８７４号公報）に記載されたものが公知である。このおむつは、表裏面シートと、これら表裏面シートの間に形成された吸収体と、表面シートのさらに身体側に形成された一対のギャザーシートとを含む。ギャザーシートが表面シートから離間するように起立することによって、排泄物に対する障壁を形成し、おむつからの排泄物の漏れを防止している。吸収体は、おむつの股下部の形状に合わせて中央部の幅方向の長さ寸法が小さく、腹側端部および背側端部では中央部よりも幅方向の長さ寸法が大きく形成されている。
【先行技術文献】
【特許文献】
【０００３】
【特許文献１】特許２００７−１４３８７４号公報（ＪＰ  ２００７−１４３８７４  Ａ）
【発明の概要】
【発明が解決しようとする課題】
【０００４】
上記のようなおむつにおいて、ギャザーシートは、腹側端部および背側端部では、幅が広い吸収体に重なって表面シートに接合されるが、中央部では、その幅が小さいから吸収体に重なることなく、吸収体の幅方向外側で表面シートに接合される。すなわち、吸収体の中央部分と、ギャザーシートの間には、表裏面シートのみが積層された領域が形成される。ギャザーシートが表面シートから起立するように離間した場合には、これに伴って中央部分外側の前記表裏面シートのみが積層された領域も吸収体との境界から起立する。すなわち、中央部分外側では、ギャザーシートとともに表裏面シートも起立して、尿等の排泄物に対する障壁を形成している。表面シートは透液性の繊維不織布、裏面シートは繊維不織布と不透液フィルムとの積層体によって形成されているが、これら表裏面シートの剛性は吸収体に比べて低いのが通常であるから、表裏面シートの積層領域では、わずかな外圧によってその形状が崩れやすく、これによってギャザーシートが倒伏してしまう可能性がある。ギャザーシートが倒伏すると、そこから排泄物が外側に流出し、おむつからの漏れが発生してしまう。
【０００５】
この発明では、漏れバリアカフからの排泄物等の流出を防止することにより、排泄物の物品からの漏れを抑制することができる吸収性物品を提供することを課題とする。
【課題を解決するための手段】
【０００６】
この発明は、縦方向および横方向と、身体側およびその反対側と、前ウエスト域、後ウエスト域および前記前後ウエスト域間に位置するクロッチ域を有するシャーシと、少なくとも前記クロッチ域に位置する吸液構造体と、前記シャーシの前記身体側に位置しシャーシ両側縁の縦方向に延びる一対の漏れバリアカフとを含み、前記シャーシは、前記身体側に位置する内面シートと、前記反対側に位置する外面シートとを含み、前記漏れバリアカフは、両側接合部を介して前記シャーシ両側縁に接合されるカフ外側縁と、前記縦方向に伸縮可能に弾性化され前記シャーシから離間可能なカフ内側縁とを含み、前記吸液構造体は、前記縦方向に延びる吸液両側縁を含み、前記吸液両側縁は、前記クロッチ域で前記横方向の長さ寸法が小さい中央領域と、前記前後ウエスト域で前記中央領域よりも前記横方向の長さ寸法が大きい前後領域とを含み、前記漏れバリアカフのカフ外側縁は、前記中央領域よりも前記横方向外側に位置する吸収性物品の改良に関わる。
【０００７】
この発明は、前記吸収性物品において、前記内面シートは、少なくとも前記中央領域の前記横方向外側で、前記縦方向に延びる複数の凸条と、これら凸条の前記横方向間に形成される凹条とを有するとともに、前記外面シートに接合されることを特徴とする。
【０００８】
この発明の好ましい実施態様のひとつとして、前記凸条および凹条は、前記内面シートの前記身体側に形成される。
好ましい他の実施態様のひとつとして、前記カフ外側縁は、前記内面シートの前記身体側に接合される。
好ましい他の実施態様のひとつとして、前記カフ外側縁は、前記外面シートの前記身体側に接合され、前記内面シートは、縦方向に延びる内面両側縁を含み、前記内面両側縁が前記カフ内側縁に接合される。
【発明の効果】
【０００９】
吸収性物品は、内外面シートと、内外面シートの間に形成された吸液構造体と、内面シートの身体側に形成された漏れバリアカフとを含み、吸液構造体は、横方向の長さ寸法が小さい中央領域と、中央領域よりもその寸法が大きい前後領域とを含み、中央領域の外側に漏れバリアカフのカフ外側縁が取り付けられる。中央領域と漏れバリアカフとによって形成された領域は、漏れバリアカフの内面シートからの離間に付随して身体側に起立するように、中央領域を境界にして折れ曲がる。内面シートには、縦方向に凸条と凹条とが形成されているから、その剛性を高くすることができ、特に、凹条に直交する横方向には曲がり難い。したがって、中央領域外側の領域の形状を維持することができ、漏れバリアカフが倒伏したり変形したりすることによる排泄物の流出を防止することができ、吸収性物品からの漏れを抑制することができる。
【図面の簡単な説明】
【００１０】
【図１】実施例１のおむつの斜視図。
【図２】図１のおむつの展開図。
【図３】図２の平面図。
【図４】吸液構造体の平面図。
【図５】図３のＶ−Ｖ線断面図。
【図６】図３のＶＩ−ＶＩ線断面図。
【図７】実施例２のおむつの図５と同様の図。
【発明を実施するための形態】
【００１１】
吸収性物品として使い捨ておむつを用い、この発明の一例を説明する。
【実施例１】
【００１２】
図１〜６は、この発明の一実施形態である実施例１を示したものであり、図１はおむつ１０の組み立て状態における斜視図、図２はおむつ１０の前後ウエスト域における係合を解いた状態の図、図３は図２のおむつの各弾性体をその収縮力に抗して伸長させ、おむつ１０を平面状態に保った状態の平面図、図４は図３の吸液構造体２０の平面図、図５は図３のＶ−Ｖ線断面図、図６は図３のＶＩ−ＶＩ線断面図である。図２において、説明のためにその一部を破断させている。図５および図６は、カフ弾性体の収縮力が作用した状態の説明図である。
【００１３】
おむつ１０は、縦方向Ｙおよび横方向Ｘと、身体側およびその反対側である着衣側と、縦方向Ｙに連なる前ウエスト域１１、後ウエスト域１２、これら前後ウエスト域１１，１２の間に位置するクロッチ域１３を有するシャーシ１４と、クロッチ域１３から前後ウエスト域１１，１２に延びる吸液構造体２０と、シャーシ１４の身体側に位置する一対の漏れバリアカフ３０とを含む。おむつ１０は、横方向Ｘの長さ寸法を二等分する仮想縦中心線Ｐ−Ｐと、縦方向Ｙの長さ寸法を二等分する仮想横中心線Ｑ−Ｑとを有し、仮想縦中心線Ｐ−Ｐに対してほぼ対称に形成されている。
【００１４】
シャーシ１４は、身体側に位置する内面シート４０と、反対側に位置する外面シート５０とを含む。図３に示したように、内外面シート４０，５０は、横方向Ｘに延びる内外前後端縁４１，４２，５１，５２と、縦方向Ｙに延びる内外両側縁４３，５３とを含み、内面シート４０の横方向Ｘの長さ寸法が外面シート５０よりも小さく、外面両側縁５３が内面両側縁４３から延出し、外面両側縁５３によってシャーシ１４のシャーシ両側縁を形成している。内面前後端縁４１，４２と外面前後端縁５１，５２とはほぼ一致する位置関係を有し、これら端縁でシャーシ１４のシャーシ前後端縁を形成している。
【００１５】
外面シート５０の後ウエスト域１２には、外面両側縁５３から横方向Ｘ外側に延出する後サイドシート７０が取り付けられ、後サイドシート７０にはタブ部材７１を介してフック要素７２が形成されている。外面シート５０の前ウエスト域１１には、外面両側縁５３から横方向Ｘ外側に延出する前サイドシート７４が取り付けられ、これら前サイドシート７４の横方向Ｘ内側であってその着衣側には、横方向Ｘに延びるループ要素７３が取り付けられ（図１参照）、フック要素７２と係合可能とされている。これらフック要素７２をループ要素７３に係合させることによって、パンツ型のおむつ１０を形成することができる。
【００１６】
図５および６に示したように、内面シート４０は、縦方向Ｙに延びる複数の凸条４４と、これら凸条の間に形成される複数の凹条４５とを有する。これら凸条４４の厚さ寸法は約１．０〜３．０ｍｍ、この実施形態では約１．３ｍｍである。凹条４５の厚さ寸法は約０．４〜１．５ｍｍ、この実施形態では約０．７５ｍｍである。これら厚さ寸法は、キーエンスレーザー変位計（ＫＥＹＥＮＣＥ  ＬＫ−Ｇ３０）を用い測定している。具体的には、レーザー照射口から内面シート４０が載置されたテーブルまでの距離を３０．５ｃｍとし、凸条４４または凹条４５に沿って２６ｍｍの長さ範囲を測定している。凸条４４の厚さ寸法とは、テーブルから凸条４４によって画成された山の頂部までの長さ寸法であって、前記２６ｍｍの範囲の平均値、凹条４５の厚さ寸法とは、凹条４５によって画成された溝の底部までの長さ寸法であって、前記２６ｍｍの範囲の平均値で表している。隣接する一方の凸条４４から他方の凸条４４までの長さ寸法であるピッチは、約４ｍｍである。
【００１７】
このような内面シート４０は、凹条４５に沿って、すなわち縦方向に沿って曲がりやすいが、凹条４５に直行する方向、すなわち横方向に沿って折れ曲がり難いという性質を有する。ここで、凸条４４および凹条４５に沿って曲がるときの剛性を縦剛性といい、これに直交して曲がるときの剛性を横剛性という。縦剛性は、１００ｍｍ以上１４０ｍｍ未満であり、この実施形態では約１２０ｍｍである。横剛性は、５０ｍｍ以上９０ｍｍ未満であり、この実施形態では約７０ｍｍである。縦剛性は、横剛性の約１．７倍とすることが好ましい。上記各剛性は、ＪＩＳ  Ｌ１０１８  ８．２２．１  Ａ法に基づいて測定された。
【００１８】
上記のようなシャーシ１４の前後端縁には、横方向Ｘに延びる前後ウエスト弾性体６１，６２が伸長状態で収縮可能に取り付けられている。前後ウエスト弾性体６１，６２は、好ましくはオープンセルを有する発泡ポリウレタンによって帯状に形成され、内外面シート４０，５０の、少なくともいずれか一方に図示しない接着剤等の接合手段で接合される。内面シート４０は、凸条４４および凹条４５に沿った縦剛性が低いので、横方向Ｘに容易に収縮され、これら前後ウエスト弾性体６１，６２の収縮が内面シート４０によって大きく妨げられることがない。
【００１９】
シャーシ１４の両側縁には、縦方向Ｙに延びるレッグ弾性体６３が伸長状態で収縮可能に取り付けられている。レッグ弾性体６３は、複数の弾性糸によって形成され、外面シート５０と漏れバリアカフ３０との間に取り付けられている。レッグ弾性体６３は、内面シート４０の横方向Ｘ外側に取り付けられることで、凸条４４および凹条４５に直交する横剛性が高い内面シート４０によってその収縮が妨げられないようにされている。
【００２０】
内外面シート４０，５０の間には、吸液構造体２０が取り付けられる。吸液構造体２０は、横方向Ｘに延びる吸液前後端縁２１，２２と、縦方向Ｙに延びる吸液両側縁２３とを含み、吸液前端縁２１は、前ウエスト域１１に位置するとともに、前ウエスト弾性体６１と縦方向Ｙにほぼ隣接して取り付けられている。吸液後端縁２２は、後ウエスト域１２に位置するとともに、後ウエスト弾性体６２と縦方向Ｙにほぼ隣接して取り付けられている。
【００２１】
図４に示したように、吸液両側縁２３は、クロッチ域１３において仮想縦中心線Ｐ−Ｐに向かってその横方向Ｘの長さ寸法が小さくなり、凹部を形成している中央領域Ｓと、前後ウエスト域１１，１２において中央領域Ｓよりも横方向Ｘの長さ寸法が大きい前後領域Ｆ，Ｒとを含む。中央領域Ｓでは仮想横中心線Ｑ−Ｑにおいてその横方向Ｘの長さ寸法が最も小さくなり、約７０〜９０ｍｍであり、前後領域Ｆ，Ｒでは約１３０ｍｍである。中央領域Ｓの横方向Ｘ外側では、前後領域Ｆ，Ｒの側縁を結んだ仮想線９０と、中央領域Ｓに位置する吸液側縁２３とで、吸液構造体の非存在領域９１が画成されている。
吸液構造体２０は、例えば、フラッフパルプと高吸収性ポリマー粒子との混合物等を含む吸液性芯材と、これを包むティッシュペーパ等の液拡散性シートとを含む。また、吸液構造体２０と外面シート５０との間には、フィルム等で形成された不透液性の漏れ防止シート２４が取り付けられている。
【００２２】
内面シート４０のさらに身体側に取り付けられる漏れバリアカフ３０は、縦方向Ｙにおけるカフ前後端縁３１，３２と、縦方向Ｙに延びるカフ内外側縁３３，３４とをそれぞれ含み、カフ前後端縁３１，３２は、内面前後端縁４１，４２とほぼ一致する位置関係を有し、これら内面前後端縁４１，４２にそれぞれ前後接合部３８，３９を介して接合されている。カフ外側縁３４は、両側接合部３７を介してシャーシ１４に接合されているが、両側接合部３７は、内面両側縁４３から延出した外面側縁５３との間で形成され、両側接合部３７を介して、レッグ弾性体６３がカフ外側縁３４と外面側縁５３との間に取り付けられている。
【００２３】
カフ内側縁３３の一部は、内面シート４０側に折り返されてスリーブ部３５を形成し、スリーブ部３５内に、縦方向Ｙに延びるカフ弾性体３６が収縮可能に取り付けられている。カフ弾性体３６は、複数条の弾性糸から形成され、カフ前後端縁３１，３２から離間して、すなわち、一定の間隔をあけて伸長状態で収縮可能に取り付けられ、漏れバリアカフ３０は、少なくとも、クロッチ域１３において縦方向Ｙに弾性化されている。漏れバリアカフ３０は、カフ内側縁３３に伸縮性不織布等を取り付けることによって、縦方向Ｙに弾性化させることも可能である。
【００２４】
図２に示したように、上記のようなおむつ１０において、カフ弾性体３６が収縮すると、カフ内側縁３３が内面シート４０から起立するように離間するが、前後ウエスト域１１，１２では、カフ外側縁３４が吸液構造体２０の前後領域Ｆ，Ｒに隣接して、横方向Ｘ外側に接合されているから、前後ウエスト域１１，１２を身体側に互いに接近させる。図５に示したように、クロッチ域１３では、カフ外側縁３４と吸液両側縁２３との間に、非存在領域９１が形成されるので、カフ内側縁３３の離間に伴い、カフ外側縁３４を介して非存在領域９１も身体側に引っ張られる。
【００２５】
非存在領域９１には、吸液構造体が存在せず、内外面シート４０および５０によって形成されているから、剛性が低く容易に変形し、吸液構造体２０に沿って折れ曲がることができる。内面シート４０には、凸条４４および凹条４５が形成され、その縦剛性が低いから、凸条４４および凹条４５に沿って縦方向Ｙに容易に折れ曲がることができる。すなわち、吸液両側縁２３に沿って、容易に折れ曲がって、これを基点に起立する。したがって、クロッチ域１３においては、漏れバリアカフ３０の横方向Ｘの寸法に加えて非存在領域９１の寸法分も身体側に起立可能となって、身体側に向かって高い障壁を形成することができる。おむつ１０において尿等の排泄物の漏れが発生しやすいのは、着用者の動きが最も大きくなるレッグ開口であるが、このレッグ開口が形成されるクロッチ域１３において漏れバリアカフ３０による障壁を高くすることができるので、効率的に排泄物の漏れを防止することができる。
【００２６】
おむつ１０の着用状態において、漏れバリアカフ３０に体圧等が作用した場合には、非存在領域９１が内面シート４０の凸条４４および凹条４５に沿って縮むように折れ曲がって体圧等を緩衝するから、漏れバリアカフ３０が倒伏されるのを防止することができる。さらに、凸条４４および凹条４５に直交する方向には曲がり難いから、非存在領域９１に連続された漏れバリアカフ３０の縦方向Ｙにおける形状を変形させ難い。すなわち、クロッチ域１３では着用者の鼠蹊部によって、非存在領域９１が仮想縦中心線Ｐ−Ｐに向かって内側に押し付けられるが、内面シート４０は、凸条４４および凹条４５に直交する方向には曲がり難いから、非存在領域９１が仮想縦中心線Ｐ−Ｐ側に入り込み難く、カフ内側縁３３の形状を維持することができる。したがって、尿等の排泄物を確実に漏れバリアカフ３０でせき止めて、これらが漏れるのを防止することができる。
【００２７】
また、前後ウエスト弾性体６１，６２は、内外面シート４０，５０の間に伸長状態で収縮可能に取り付けられているから、前後ウエスト弾性体６１，６２が収縮すると、内面シート４０も横方向Ｘに収縮される。内面シート４０が横方向Ｘに収縮すると、凹条４５の横方向Ｘの長さ寸法を縮めるように凸条４４が互いに接触するように接近する。このように凸条４４が互いに接近することで、凹条４５で形成された溝がなくなり、内面シート４０と着用者の身体との間に形成される隙間を減少させることができ、内面前後端縁４１，４２で形成されるウエスト開口からの排泄物の漏れも抑制することができる。
【００２８】
内面シート４０は、例えば、繊維ウェブの上部に配置されたノズルから連続的にエアを噴射することで、エアが噴射された部分で凹条４５が形成され、エアが直接噴射されなかった部分で凸条４４が形成される。このような内面シート４０では、繊維ウェブの繊維の再配向により、凸条４４に比べて凹条４５で密度を低くすることができる。凹条４５で密度が低くなることによって、この凹条４５を介して軟便が吸液構造体３０側に通過しやすくすることができる。また、噴射されるエアの量を間欠的に多くすることによって、凹条４５に間欠的な透孔を形成することもできる。このような透孔が形成された場合には、粘性の高い軟便等の通過を促進することができる。
【００２９】
この実施形態において、内面シート４０の凸条４４および凹条４５をエアの噴射によって形成することとしているが、漏れバリアカフ３０の形状を維持できる程度の剛性を有するものであれば、この製法に限られるものではない。この製法のほかには、内面シート４０のウォータージェット処理やスチームジェット処理、プレス加工またはギア加工によって形成することもできる。また、凸条４４の厚さ寸法やピッチ、凹条４５の厚さ寸法等、この実施形態で示したものに限られるものではなく、適宜変更可能である。
【実施例２】
【００３０】
図７は、この発明の実施例２を示したものであり、実施例１の図５と同様の図である。この実施例２では、漏れバリアカフ３０と内面シート４０との接合位置を特徴とするものであり、他の部分においては実施例１とほぼ同じである。実施例１と同様の構成要素については、その詳細な説明を省略する。
【００３１】
漏れバリアカフ３０のカフ外側縁３４は、縦方向Ｙに延びる両側接合部３７を介して外面シート５０に接合されている。内面シート４０は、身体側に位置する第１面４０ａと、その反対側すなわち外面シート５０側に位置する第２面４０ｂとを含む。同様漏れバリアカフ３０も、身体側に位置する第１面３０ａと、その反対側に位置する第２面３０ｂとを含み、内面シート４０の内面両側縁４３の第２面４０ａが、漏れバリアカフ３０のカフ内側縁３３の第２面３０ｂに接合されている。
【００３２】
カフ内側縁３３において、内面シート４０が積層されて接合されることによって、カフ内側縁３３の剛性が高くなり、体圧等が作用した場合であってもその形状を維持することができる。特に内面シート４０には、縦方向Ｙに延びる凸条４４と凹条４５とが形成されているから、凸条４４および凹条４５に直交する方向には曲がり難く、その形状を維持し、着用者の身体との間に隙間を形成することなく、密着することができる。したがって、より一層、クロッチ域１３からの排泄物の漏れを防止することができる。
【００３３】
この発明において、内面シート４０の身体側に凸条４４および凹条４５を形成することとしているが、その着衣側に形成することとしてもよい。ただし、着用者に対する接触面積、体液等の透過性等を考慮すれば、身体側に形成するほうが好ましい。また、吸収性物品として、いわゆるオープン型のおむつを例に説明しているが、これに限られるものではなく、例えば、プルオン・パンツ型のおむつであってもよい。
【符号の説明】
【００３４】
１０  おむつ（吸収性物品）
１１  前ウエスト域
１２  後ウエスト域
１３  クロッチ域
１４  シャーシ
２０  吸液構造体
２３  吸液両側縁
３０  漏れバリアカフ
３１  カフ前端縁
３２  カフ後端縁
３３  カフ内側縁
３４  カフ外側縁
３６  カフ弾性体
４０  内面シート
４４  凸条
４５  凹条
５０  外面シート
９１  非存在領域
Ｓ    中央領域
Ｆ    前領域
Ｒ    後領域
【図１】
2010227149.tif 000003
【図２】
2010227149.tif 000004
【図３】
2010227149.tif 000005
【図４】
2010227149.tif 000006
【図５】
2010227149.tif 000007
【図６】
2010227149.tif 000008
【図７】
2010227149.tif 000009